(57)【要約】【課題】係止片の端子金具への係止を解除して、コネクタハウジングから端子金具を確実に抜き取ることを可能とする端子金具の抜き取り治具を提供する。【解決手段】抜き取り治具１はコネクタ２の端子収容室８内から端子金具４を抜き取る際に用いられる。コネクタ２は端子金具４に係止する係止片９を備えている。係止片９の端子金具４の長手方向の交差する方向の一端９ａは端子収容室８を区画する隔壁１０に連なっている。係止片９の他端９ｂは隔壁１０と間隔をあけている。抜き取り治具１は解除ピン１３と規制ピン１４とを備えている。解除ピン１３は係止片９の他端９ｂと隔壁１０との間に侵入して他端９ｂを隔壁１０から離す。規制ピン１４は係止片９の一端９ａの外側に位置しこの一端９ａと当接して一端９ａが他端９ｂから離れる方向に係止片９が変位することを規制する。【選択図】図４
2005216660.tif 000002
【特許請求の範囲】
【請求項１】
端子収容室内に収容する端子金具の長手方向に対し交差する方向の一端が前記端子収容室を区画する隔壁に連なりかつ他端が自由端であるとともに前記端子金具に係止する係止片を備えたコネクタハウジングの前記端子収容室内から前記端子金具を抜き取るための端子金具の抜き取り治具において、
前記係止片の前記他端と前記隔壁との間に侵入して、前記係止片の他端を前記隔壁から離して、前記係止片の前記端子金具への係止を解除する解除手段と、
前記係止片の前記一端の外側に位置し、この係止片の一端と当接して、該一端が前記他端から離れる方向に変位することを規制する規制手段と、
を備えたことを特徴とする端子金具の抜き取り治具。
【請求項２】
前記解除手段と前記規制手段とは、それぞれ、棒状に形成されており、これらの前記解除手段と前記規制手段とは、互いに平行に配されていることを特徴とする請求項１記載の端子金具の抜き取り治具。
【請求項３】
前記解除手段の先端部には、この解除手段の先端に向かうにしたがって徐々に隔壁に近づくように、前記解除手段の長手方向に対し交差する方向に平坦に形成されているとともに、前記係止片の前記他端と当接して該他端を前記隔壁から離れる方向に変位させる傾斜面が設けられていることを特徴とする請求項２記載の端子金具の抜き取り治具。
【請求項４】
前記解除手段と前記規制手段との基部を支持する支持部を備えたことを特徴とする請求項２又は請求項３記載の端子金具の抜き取り治具。
【発明の詳細な説明】
【技術分野】
【０００１】
本発明は、電線の接続等に使用されるコネクタから端子金具を抜き取るための抜き取り治具に関する。
【背景技術】
【０００２】
移動体としての自動車には、多種多様な電子機器が搭載される。前記自動車は、前記電子機器に電力や制御信号などを伝えるために、ワイヤハーネスを配索している。ワイヤハーネスは、複数の電線と、コネクタと、を備えている。電線は、導電性の芯線と、該芯線を被覆する絶縁性の被覆部と、を備えた所謂被覆電線である。
【０００３】
前述したコネクタは、端子金具と、コネクタハウジングとを備えている。端子金具は、導電性の板金などからなり、電線接続部と電気接触部とを備えている。電線接続部には、前述の電線が電気的及び機械的に接続される。電気接触部は、コネクタに嵌合する相手側のコネクタの端子金具の電気接触部と電気的に接続する。
【０００４】
コネクタハウジングは、絶縁性の合成樹脂からなり筒状に形成されている。コネクタハウジングは、端子金具を収容する端子収容室と、係止片とを複数備えている。端子収容室は、隔壁により区画されており、直線状に形成されており、互いに平行に並べられている。端子収容室は、雄端子の電気接触部がコネクタハウジングの一方の開口部に相対し、かつ雄端子の電線接続部がコネクタハウジングの他方の開口部に相対した状態で、雄端子を収容する。
【０００５】
係止片は、前記端子金具及び該端子金具に取り付けられる電線の長手方向の一端が端子収容室の内面に連なり、他端が前述した端子金具に係止する。係止片は、端子金具に係止して、該端子金具が端子収容室内から抜け出ることを規制する。
【０００６】
前述した構成のコネクタは、前記係止片の前記端子金具及び該端子金具に取り付けられる電線の長手方向の一端が端子収容室の内面に連なり、他端が前述した端子金具に係止するため、係止片の係止後に電線などが引っ張られると、係止片が座屈し易かった。このように、従来のコネクタは、端子金具の保持力が弱かった。特に、電線を強く引っ張ると、端子金具が係止片から外れて、端子収容室内から抜け出てしまう虞があった。
【０００７】
この種の問題を解決するために、本発明の出願人は、例えば、特許文献１に記載されたコネクタ１０１（図１５に例示する）を提案している。図１５に例示されたコネクタ１０１は、前述した係止片１０２の前述した端子金具１０３及び該端子金具１０３に取り付けられる電線１０４の長手方向に交差する方向の一端１０２ａを前記隔壁１０５に一体に形成し、他端１０２ｂを前記隔壁１０５と別体に形成して自由端としている。
【０００８】
このように、図１５に例示されたコネクタ１０１は、係止片１０２の前述した一端１０２ａを前記隔壁１０５に一体に形成することで、係止片１０２を座屈しにくくしている。
【特許文献１】特許願２００２−２１４３５４号
【発明の開示】
【発明が解決しようとする課題】
【０００９】
前述した特許文献１のコネクタ１０１では、係止片１０２が係止した端子金具１０３を端子収容室１０６内から抜き取る際に、前述した係止片１０２の他端１０２ｂと隔壁１０５との間に棒状の治具１０７（図１８に一部断面で示す）を挿入して、係止片１０２の端子金具１０３への係止を解除してきた。また、前述した係止片１０２の一端１０２ａが隔壁１０５と一体に形成されている。
【００１０】
このため、前述した治具１０７を前述した係止片１０２の他端１０２ｂと隔壁１０５との間に挿入すると、図１６及び図１７の二点鎖線に示すように、前記一端１０２ａが前記他端１０２ｂから離れる方向に前記係止片１０２などが弾性変形することがあった。図１６及び図１７に示されるように、係止片１０２が弾性変形すると、前述した他端１０２ｂの端子金具１０３への係止を解除できるが、前述した一端１０２ａの端子金具１０３への係止を解除できない。
【００１１】
さらに、前記一端１０２ａが前記他端１０２ｂから離れる方向に前記係止片１０２が弾性変形すると、図１８中の二点鎖線で示すように係止片１０２が変位して、前記他端１０２ｂが治具１０７上から滑り落ちて、係止片１０２の係止を解除できないこともあった。
【００１２】
このように、前述した特許文献１に記載された治具１０７では、係止片１０２の端子金具１０３への係止を確実に解除できなかった。
【００１３】
したがって、本発明の目的は、係止片の端子金具への係止を解除して、コネクタハウジングから端子金具を確実に抜き取ることを可能とする端子金具の抜き取り治具を提供することにある。
【課題を解決するための手段】
【００１４】
前述した課題を解決し目的を達成するために、請求項１に記載の本発明の端子金具の抜き取り治具は、端子収容室内に収容する端子金具の長手方向に対し交差する方向の一端が前記端子収容室を区画する隔壁に連なりかつ他端が自由端であるとともに前記端子金具に係止する係止片を備えたコネクタハウジングの前記端子収容室内から前記端子金具を抜き取るための端子金具の抜き取り治具において、前記係止片の前記他端と前記隔壁との間に侵入して、前記係止片の他端を前記隔壁から離して、前記係止片の前記端子金具への係止を解除する解除手段と、前記係止片の前記一端の外側に位置し、この係止片の一端と当接して、該一端が前記他端から離れる方向に変位することを規制する規制手段とを備えたことを特徴としている。
【００１５】
請求項２に記載の本発明の端子金具の抜き取り治具は、請求項１に記載の端子金具の抜き取り治具において、前記解除手段と前記規制手段とは、それぞれ、棒状に形成されており、これらの前記解除手段と前記規制手段とは、互いに平行に配されていることを特徴としている。
【００１６】
請求項３に記載の本発明の端子金具の抜き取り治具は、請求項２に記載の端子金具の抜き取り治具において、前記解除手段の先端部には、この解除手段の先端に向かうにしたがって徐々に隔壁に近づくように、前記解除手段の長手方向に対し交差する方向に平坦に形成されているとともに、前記係止片の前記他端と当接して該他端を前記隔壁から離れる方向に変位させる傾斜面が設けられていることを特徴としている。
【００１７】
請求項４に記載の本発明の端子金具の抜き取り治具は、請求項２又は請求項３に記載の端子金具の抜き取り治具において、前記解除手段と前記規制手段との基部を支持する支持部を備えたことを特徴としている。
【００１８】
請求項１に記載した本発明の端子金具の抜き取り治具によれば、解除手段が係止片の他端を隔壁から離す際に、規制手段が係止片の一端と当接する。そして、規制手段は、一端が他端から離れる方向に係止片が変位することを規制する。このため、解除手段は、係止片の端子金具への係止を確実に解除できる。
【００１９】
請求項２に記載した本発明の端子金具の抜き取り治具によれば、解除手段と規制手段とが棒状に形成され、互いに平行に配されている。このため、解除手段が係止片の他端と隔壁との間に確実に侵入でき、他端を隔壁から離すことができる。また、規制手段が係止片の一端と確実に当接でき、一端が他端から離れる方向に係止片が変位することを確実に防止できる。
【００２０】
請求項３に記載した本発明の端子金具の抜き取り治具によれば、解除手段の先端に向かうにしたがって徐々に隔壁に近づく方向に傾斜した傾斜面が、解除手段の先端に設けられている。このため、傾斜面即ち解除手段は、係止片の他端と隔壁との間の奥に侵入するにしたがって、係止片の他端を徐々に隔壁から離すことができる。
【００２１】
請求項４に記載した本発明の端子金具の抜き取り治具によれば、解除手段と規制手段の基部を支持する支持部を備えている。このため、支持部を掴むことで、容易に解除手段を係止片の他端と隔壁の間に挿入でき、容易に規制手段を係止片の一端に当接させることができる。
【発明の効果】
【００２２】
以上説明したように、請求項１に記載の本発明は、一端が他端から離れる方向に係止片が変位することを規制手段が規制するので、係止片の特に他端を解除手段が隔壁から確実に離すことができる。したがって、解除手段が、確実に係止片の端子金具への係止を解除でき、端子金具をコネクタハウジングの端子収容室内から確実に抜き取ることができる。
【００２３】
請求項２に記載の本発明は、解除手段が係止片の他端と隔壁との間に確実に侵入でき、他端を隔壁から離すことができ、規制手段が係止片の一端と確実に当接でき、一端が他端から離れる方向に係止片が変位することを確実に防止できる。このため、係止片の特に他端を解除手段が確実に隔壁から離すことができる。したがって、解除手段が、より確実に係止片の端子金具への係止を確実に解除でき、端子金具をコネクタハウジングの端子収容室内からより確実に抜き取ることができる。
【００２４】
請求項３に記載の本発明は、解除手段の先端に設けられた傾斜面が、係止片の他端と隔壁との間の奥に侵入するにしたがって、係止片の他端を徐々に隔壁から離すことができる。このため、係止片の特に他端を解除手段がより一層確実に隔壁から離すことができる。したがって、解除手段が、より一層確実に係止片の端子金具への係止を解除でき、端子金具をコネクタハウジングの端子収容室内からより一層確実に抜き取ることができる。
【００２５】
請求項４に記載の本発明は、容易に解除手段を係止片の他端と隔壁の間に挿入でき、容易に規制手段を係止片の一端に当接させることができる。したがって、容易に係止片の端子金具への係止を解除でき、端子金具をコネクタハウジングの端子収容室内から確実に抜き取ることができる。
【発明を実施するための最良の形態】
【００２６】
本発明の一実施形態にかかる端子金具の抜き取り治具（以下、単に抜き取り治具と記す）を、図１ないし図１４を参照して説明する。図１などに示す抜き取り治具１は、自動車などに配索されるワイヤハーネスを構成するコネクタ２（図２に示す）のコネクタハウジング３から端子金具４を抜き取る際に用いられる。
【００２７】
ワイヤハーネスは、複数の電線５（図２に示す）と、コネクタ２（図２などに示す）とを備えている。電線５は、導電性の芯線と該芯線を被覆する絶縁性の被覆部とを備えた所謂被覆電線である。ワイヤハーネスは、前述したコネクタ２が自動車に装備される各種の電子機器のコネクタと嵌合して、電子機器に所望の信号や電力を供給する。
【００２８】
コネクタ２は、図２ないし図６に示すように、複数の端子金具４（図２ないし図６には一つのみ示す）と、コネクタハウジング３と、を備えている。
【００２９】
端子金具４は、導電性の金属などからなり、図３に示すように、電線接続部６と電気接触部７とを備えている。電線接続部６には、電線５が電気的及び機械的に接続される。電気接触部７は、筒状に形成されているとともに、電線接続部６に連なっている。電気接触部７は、コネクタ１に嵌合する相手側のコネクタの雄型の端子金具が内側に侵入して、該雄型の端子金具の電気接触部と電気的に接続する。
【００３０】
コネクタハウジング３は、絶縁性の合成樹脂からなり、箱状（筒状）に形成されている。コネクタハウジング３は、図２ないし図６に示すように、複数の端子収容室８と、複数の係止片９とを備えている。なお、図２には、端子収容室８を一つのみ示しているが、コネクタハウジング３は、端子収容室８を複数備えている。
【００３１】
端子収容室８は、直線状の空間であり、互いに平行に配されている。端子収容室８は、隔壁１０により互いに区画されている。また、端子収容室８は、四方向が前述した隔壁１０により囲まれた筒部１１と、上方（一方）のみが前述した隔壁１０に囲まれすに開口し他の３方向が前述した隔壁１０により囲まれたコ字部１２とを備えている。これらの筒部１１とコ字部１２とは、互いに直列に連結されている。、端子収容室８は、前述した筒部１１の開口部を通して、電線５付きの端子金具４が挿入される。そして、端子収容室８は、筒部１１内に電線接続部６を位置付け、コ字部１２内に電気接触部７を位置付けた格好で、端子金具４を収容する。
【００３２】
係止片９は、それぞれ、端子収容室８に対応して配されている。即ち、一つの端子収容室８に一つの係止片９が設けられている。係止片９は、板状に形成されている。係止片９は、端子収容室８のコ字部１２の筒部１１寄りの端部に設けられ、このコ字部１２を塞ぐ格好に配されている。係止片９は、端子収容室８内に収容される端子金具４及び該端子金具４に取り付けられる電線５の長手方向（軸芯方向）に対し直交（交差）する方向の一端９ａが隔壁１０に連なり、他端９ｂが隔壁１０に連なる事無く該隔壁１０と間隔をあけて自由端となっている。さらに、係止片９は、筒部１１に連なっている。
【００３３】
前述した係止片９は、他端９ｂが該他端９ｂと間隔をあける隔壁１０と接離するように、弾性変形自在となっている。なお、接離とは、互いに近づいたり離れたりすることである。また、係止片９は、弾性変形していない初期状態において、端子収容室８内の端子金具４の電気接触部７の電線接続部６寄りの縁に係止するようになっている。このため、係止片９は、端子金具４に係止する。また、係止片９は、他端９ｂが隔壁１０から離れる方向に弾性変形することで、端子金具４の係止が外れる（端子金具４への係止が解除される）。
【００３４】
電線５付きの端子金具４を、電気接触部７を先頭にして、筒部１１の開口部を通して端子端子収容室８内に挿入する。そして、電気接触部７がコ字部１２の所定位置まで侵入すると、係止片９が電気接触部７の電線接続部６寄りの縁に係止する。前述したように、所望の端子収容室８に端子金具４を挿入して、前述したコネクタ２が組み立てられる。
【００３５】
抜き取り治具１は、図１に示すように、解除手段としての解除ピン１３と、規制手段としての規制ピン１４と、支持部１５とを備えている。解除ピン１３は、断面矩形状の棒状に形成されている。即ち、解除ピン１３は、四角柱状に形成されている。解除ピン１３は、長手方向の一端部１６が前述した支持部１５内に埋設され、かつ他端部１７が支持部１５外に露出した格好で、前述した一端部１６が支持部１５に支持されている。前述した一端部１６は、本明細書に記した基部をなしており、以下、基部と呼ぶ。また、他端部１７は、本明細書に記した先端部をなしており、以下、先端部と呼ぶ。
【００３６】
解除ピン１３は、前述した先端部１７がコネクタ２の隔壁１０と係止片９の他端９ｂとの間に挿入される。解除ピン１３の先端部１７には、図４及び図７などに示すように、傾斜面１８が設けられている。この傾斜面１８は、解除ピン１３の最も先端に設けられている。傾斜面１８は、解除ピン１３の長手方向に交差する方向に沿って平坦に形成されている。傾斜面１８は、解除ピン１３が係止片９の他端９ｂと隔壁１０との間に挿入されると、解除ピン１３の先端に向かうにしたがって、徐々に隔壁１０に近づくように形成されている。
【００３７】
また、傾斜面１８は、解除ピン１３が係止片９の他端９ｂと隔壁１０との間に挿入されると、該係止片９の他端９ｂと当接する。そして、傾斜面１８は、解除ピン１３が係止片９の他端９ｂと隔壁１０との間の奥に挿入されるのにしたがって、係止片９の他端９ｂを隔壁１０から離れる方向に押圧し、該隔壁１０から離れる方向に変位させる。
【００３８】
前述した構成の解除ピン１３は、係止片９の他端９ｂと隔壁１０との間に侵入して、傾斜面１８により係止片９の他端９ｂを隔壁１０から離す。そして、解除ピン１３は、係止片９の端子金具４への係止を解除する。
【００３９】
規制ピン１４は、構成が解除ピン１３と等しい。このため、解除ピン１３と同一部分に同一符号を付して、規制ピン１４の説明を省略する。
【００４０】
解除ピン１３の長手方向と、規制ピン１４の長手方向とは、互いに平行に配されている。このため、解除ピン１３と規制ピン１４とは、互いに平行である。また、解除ピン１３と規制ピン１４との間隔Ｄ（図１および図４に示す）は、一つの端子収容室８のコ字部１２を構成する一対の隔壁１０のうち一方の隔壁１０（一端９ａ）の外面１０ａ（前述した一つの端子収容室８内から見て）と、他方の隔壁１０の内面１０ｂとの間隔Ｄ２（図４に示す）と、略等しい。
【００４１】
このため、解除ピン１３が、端子金具４を抜き取る一つの端子収容室８の係止片９の他端９ｂと隔壁１０との間に侵入すると、規制ピン１４は、係止片９の一端９ａと該一端９ａに連なる隔壁１０の外側（前述した一つの端子収容室８の内側から見て）に位置する。そして、規制ピン１４は、係止片９の一端９ａと該一端９ａに連なる隔壁１０の外面１０ａに当接する。このため、規制ピン１４は、解除ピン１３が端子金具４を抜き取る一つの端子収容室８の係止片９の他端９ｂと隔壁１０との間に侵入すると、隔壁１０の外側に位置して係止片９の一端９ａと当接する。そして、規制ピン１４は、係止片９の一端９ａが係止片９の他端９ｂから離れる方向に変位することを規制する。即ち、規制ピン１４は、係止片９の一端９ａを係止片９の他端９ｂから離れる方向に変位させない。
【００４２】
前述した支持部１５は、解除ピン１３と規制ピン１４の基部１６，１６を埋設して、これらの基部１６，１６を支持する。そして、支持部１５は、解除ピン１３と規制ピン１４とを互いに平行に支持する。また、支持部１５には、作業員が掴むことができる。
【００４３】
前述した構成の抜き取り治具１を用いて、端子金具４をコネクタハウジング３の端子収容室８内から抜き取る際には、まず、図７に示すように、端子金具４を抜き取る端子収容室８の係止片９の他端９ｂと隔壁１０との間に解除ピン１３を相対させ、係止片９の一端９ａに連なる隔壁１０の外側に規制ピン１４を相対させる。このとき、図１１に示すように、係止片９は、前述した初期状態であり、係止片９が端子収容室８内の端子金具４に係止している。なお、図１１ないし図１４中には、端子金具４を二点鎖線で示す。
【００４４】
そして、図５に示すように、解除ピン１３を係止片９の他端９ｂと隔壁１０との間に挿入する。このとき、規制ピン１４は、係止片９の一端９ａと該一端９ａに連なる隔壁１０の外側に位置する。さらに、解除ピン１３を係止片９の他端９ｂと隔壁１０との間の奥に挿入すると、図８及び図１２に示すように、傾斜面１８に係止片９の他端９ｂが接触する。
【００４５】
さらに、解除ピン１３を係止片９の他端９ｂと隔壁１０との間の奥に挿入すると、係止片９の他端９ｂが傾斜面１８上を摺動するとともに傾斜面１８から押圧される。このとき、規制ピン１４が係止片９に連なる隔壁１０の外側に位置して、係止片９の一端９ａに当接するので、一端９ａが他端９ｂから離れる方向に、係止片９が変位することが規制される。即ち、一端９ａが他端９ｂから離れる方向に、係止片９が変位しない。このため、一端９ａが他端９ｂから離れる方向に、係止片９が変位しないので、図９及び図１３に示すように、係止片９の他端９ｂが、隔壁１０から徐々に離れる。
【００４６】
そして、さらに、解除ピン１３を係止片９の他端９ｂと隔壁１０との間の奥に挿入すると、係止片９の筒部１１寄りの縁部に当接して、係止片９全体を隔壁１０から離れる方向に押圧する。このときも、規制ピン１４が係止片９に連なる隔壁１０の外側に位置して、一端９ａが他端９ｂから離れる方向に、係止片９が変位することが規制されるので、図６、図１０及び図１４に示すように、前述した他端９ｂと一端９ａとの双方が隔壁１０から離れる方向に変位する。こうして、係止片９は、端子金具４の電気接触部７への係止が解除するように弾性変形する。そして、係止片９の端子金具４への係止が解除したら、端子金具４を端子収容室８内に挿入方向の逆向きに電線５を引っ張って、端子金具４を端子収容室８内から抜き取る。
【００４７】
端子金具４を抜き取った後は、解除ピン１３を係止片９の他端９ｂと隔壁１０との間から抜き取る。そして、前述した工程と同様に、次の端子収容室８内から端子金具４を抜き取る。
【００４８】
本実施形態によれば、解除ピン１３が係止片９の他端９ｂを隔壁１０から離す際に、規制ピン１４が係止片９の一端９ａと当接する。そして、規制ピン１４は、一端９ａが他端９ｂから離れる方向に係止片９が変位することを規制する。このため、解除ピン１３は、係止片９の端子金具４への係止を確実に解除できる。したがって、端子金具４をコネクタハウジング３の端子収容室８内から確実に抜き取ることができる。
【００４９】
また、解除ピン１３と規制ピン１４とが棒状に形成され、互いに平行に配されている。このため、解除ピン１３が係止片９の他端９ｂと隔壁１０との間に確実に侵入でき、他端９ｂを隔壁１０から離すことができる。また、規制ピン１４が係止片９の一端９ａと確実に当接でき、一端９ａが他端９ｂから離れる方向に係止片９が変位することを確実に防止できる。したがって、解除ピン１３が、より確実に係止片９の端子金具４への係止を確実に解除でき、端子金具４をコネクタハウジング３の端子収容室８内からより確実に抜き取ることができる。
【００５０】
解除ピン１３の先端に向かうにしたがって徐々に隔壁１０に近づく方向に傾斜した傾斜面１８が、解除ピン１３の先端部１７に設けられている。このため、傾斜面１８即ち解除ピン１３は、係止片９の他端９ｂと隔壁１０との間の奥に侵入するにしたがって、係止片９の他端９ｂを徐々に隔壁１０から離すことができる。このため、係止片９の特に他端９ｂを解除ピン１３がより一層確実に隔壁１０から離すことができる。したがって、解除ピン１３が、より一層確実に係止片９の端子金具４への係止を解除でき、端子金具４をコネクタハウジング３の端子収容室８内からより一層確実に抜き取ることができる。
【００５１】
解除ピン１３と規制ピン１４の基部１６，１６を支持する支持部１５を備えている。このため、支持部１５を掴むことで、容易に解除ピン１３を係止片９の他端９ｂと隔壁１０の間に挿入でき、容易に規制ピン１４を係止片９の一端９ａに当接させることができる。したがって、容易に係止片９の端子金具４への係止を解除でき、端子金具４をコネクタハウジング３の端子収容室８内から確実に抜き取ることができる。
【００５２】
なお、前述した実施形態では、解除手段としての解除ピン１３と規制手段としての規制ピン１４との双方を、棒状に形成している。しかしながら、本発明では、解除手段と規制手段との双方を種々の構成にしても良い。
【００５３】
また、前述した実施形態では、電気接触部７が筒状に形成された所謂雌形の端子金具４を示している。しかしながら、本発明の抜き取り治具１は、電気接触部７が棒状又は板状に形成された所謂雄形の端子金具をコネクタハウジングから抜き取る際に用いても良い。
【００５４】
さらに、前述した実施形態では、端子収容室８を複数備えたコネクタハウジング３から端子金具４を一つずつ抜き取る例を示している。しかしながら、本発明は、端子収容室８を一つのみ備えたコネクタハウジング３から端子金具４を抜き取っても良い。
【００５５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５６】
【図１】本発明の一実施形態にかかる抜き取り治具を示す斜視図である。
【図２】図１に示された抜き取り治具で端子金具を抜き取ることのできるコネクタを示す斜視図である。
【図３】図２に示されたコネクタの分解して示す斜視図である。
【図４】図２に示されたコネクタと抜き取り治具のピンの先端部とを示す斜視図である。
【図５】図１に示された抜き取り治具の解除ピンをコネクタの係止片の他端と隔壁との間に挿入した状態を示す斜視図である。
【図６】図５に示された解除ピンをコネクタの係止片の他端と隔壁との間の奥に挿入して、係止片の係止を解除した状態を示す斜視図である。
【図７】図１に示された抜き取り治具の解除ピンをコネクタの係止片の他端と隔壁との間と相対させた状態を示す側面図である。
【図８】図７に示された解除ピンを係止片の他端と隔壁との間に挿入して傾斜面に係止片の他端が当接した状態を示す側面図である。
【図９】図８に示された解除ピンが係止片の他端を隔壁から離した状態を示す側面図である。
【図１０】図９に示された解除ピンが係止片の係止を解除した状態を示す側面図である。
【図１１】図７中のＸＩ−ＸＩ線に沿う断面図である。
【図１２】図８中のＸＩＩ−ＸＩＩ線に沿う断面図である。
【図１３】図９中のＸＩＩＩ−ＸＩＩＩ線に沿う断面図である。
【図１４】図１０中のＸＩＶ−ＸＩＶ線に沿う断面図である。
【図１５】従来の治具で端子金具が抜き取られるコネクタの斜視図である。
【図１６】図１５に示されたコネクタから端子金具を抜き取る際に従来の治具により係止片が変位する状態などを示す説明図である。
【図１７】図１５に示されたコネクタから端子金具を抜き取る際に従来の治具により係止片が変位する状態などを示す平面図である。
【図１８】図１５に示されたコネクタから端子金具を抜き取る際に従来の治具により係止片が変位する状態などを示す他の説明図である。
【符号の説明】
【００５７】
１  抜き取り治具（端子金具の抜き取り治具）
２  コネクタ
３  コネクタハウジング
４  端子金具
８  端子収容室
９  係止片
９ａ  一端
９ｂ  他端
１０  隔壁
１３  解除ピン（解除手段）
１４  規制ピン（規制手段）
１５  支持部
１６  基部
１７  先端部
１８  傾斜面
【図１】
2005216660.tif 000003
【図２】
2005216660.tif 000004
【図３】
2005216660.tif 000005
【図４】
2005216660.tif 000006
【図５】
2005216660.tif 000007
【図６】
2005216660.tif 000008
【図７】
2005216660.tif 000009
【図８】
2005216660.tif 000010
【図９】
2005216660.tif 000011
【図１０】
2005216660.tif 000012
【図１１】
2005216660.tif 000013
【図１２】
2005216660.tif 000014
【図１３】
2005216660.tif 000015
【図１４】
2005216660.tif 000016
【図１５】
2005216660.tif 000017
【図１６】
2005216660.tif 000018
【図１７】
2005216660.tif 000019
【図１８】
2005216660.tif 000020